(57)【要約】【課題】ＩＣチップとＩＣコンタクトとの接触を良好にする。【解決手段】カード媒体を搬送路に沿って搬送する搬送機構４と、搬送方向に移動可能な移動部１９であって、ＩＣチップＴ２に接触してＩＣチップＴ２に記録されている情報を読み取るコンタクト部２５が設けられた押圧部２２と、押圧部２２と接続され、搬送路と交差するように筐体２の幅方向に突出する突出部２４と、を有する移動部１９と、移動部１９が搬送方向下流側に移動するにしたがって、移動部１９がカード媒体に近づくように案内するガイド部２１と、を有するスロープローディング機構６と、突出部２４に対して、幅方向における搬送機構４の反対側に配置されて、コンタクト部２５の反対側からカード媒体を支持する支持部８と、を備えるカード処理装置を提供する。【選択図】図６
2020112854.tif 000002
【特許請求の範囲】
【請求項１】
ＩＣチップを有するカード媒体の短手方向を搬送路の幅方向に一致させて、かつ、該カード媒体の前記短手方向の一部を支持しながら、前記カード媒体を前記搬送路に沿って搬送する搬送機構と、
該搬送機構の搬送方向に移動可能な移動部であって、前記ＩＣチップに接触して前記ＩＣチップに記録されている情報を読み取るコンタクト部が設けられた押圧部と、前記押圧部と接続され、前記搬送路と交差するように突出する突出部と、を有する移動部と、前記移動部が搬送方向下流側に移動するにしたがって、前記移動部が前記カード媒体に近づくように案内するガイド部と、を有するスロープローディング機構と、
前記突出部に対して、前記搬送路の幅方向における前記搬送機構の反対側に配置されて、前記コンタクト部の反対側から前記カード媒体を支持する支持部と、を備えるカード処理装置。
【請求項２】
前記支持部は、前記カード媒体の主面に直交する方向から見て、前記ＩＣチップと接触状態にある前記コンタクト部と同じ位置に配置されている請求項１に記載のカード処理装置。
【請求項３】
前記支持部は、前記幅方向に延びる軸回りに回転する円柱状のローラである請求項１又は請求項２に記載のカード処理装置。
【請求項４】
前記ローラは、前記突出部の前記幅方向一方側に配置された第一ローラと、前記突出部の前記幅方向他方側に配置された第二ローラと、を有する請求項３に記載のカード処理装置。
【請求項５】
前記搬送機構は、モータと、前記モータの動力が伝達される回転軸と、前記回転軸に伴い前記搬送方向に走行する搬送ベルトと、を有し、
前記ローラは前記回転軸に取り付けられている請求項３又は請求項４に記載のカード処理装置。
【請求項６】
前記スロープローディング機構は、
前記筐体に固定され、搬送方向下流側に向かうにしたがって、挿入された前記カード媒体に近づくように傾斜する傾斜面と、
前記押圧部から前記幅方向の両方に突出し、前記傾斜面を走行するスロープ軸と、を有する請求項１から請求項２のいずれか一項に記載のカード処理装置。
【発明の詳細な説明】
【技術分野】
【０００１】
本発明は、カード処理装置に関する。
【背景技術】
【０００２】
通常、有料道路の料金所内には、ＩＣカード（クレジットカード等）による支払いに対応するため、カード処理装置（ＩＣカードリーダ；ＩＣＣＲ）が設置されている。ＩＣカードリーダは、挿入口から挿入されたＩＣカードを内部に引き込んで搬送するための搬送機構を有している。
【０００３】
特許文献１には、回転軸に取り付けられた駆動ローラと、駆動ローラに対向して配置された従動ローラと、を有し、駆動ローラと従動ローラとでＩＣカードを挟み込んで搬送する搬送機構が記載されている。
【先行技術文献】
【特許文献】
【０００４】
【特許文献１】特開２００１−２２２６９４号公報
【発明の概要】
【発明が解決しようとする課題】
【０００５】
ところで、カード処理装置により道路利用者のＩＣカードのカード情報を読み取る際、ＩＣチップとＩＣコンタクト間の接触不良や、ＩＣカードに形成されているエンボスに起因するカードの反りによるカード搬送不良により、カード情報の読み取りに支障が生じるという問題がある。
【０００６】
この発明は、ＩＣカードに設けられているＩＣチップとカード処理装置に設けられているＩＣコンタクトとの接触を良好にすることができるカード処理装置を提供することを目的とする。
【課題を解決するための手段】
【０００７】
本発明の第一の態様によれば、カード処理装置は、ＩＣチップを有するカード媒体の短手方向を搬送路の幅方向に一致させて、かつ、該カード媒体の前記短手方向の一部を支持しながら、前記カード媒体を前記搬送路に沿って搬送する搬送機構と、該搬送機構の搬送方向に移動可能な移動部であって、前記ＩＣチップに接触して前記ＩＣチップに記録されている情報を読み取るコンタクト部が設けられた押圧部と、前記押圧部と接続され、前記搬送路と交差するように突出する突出部と、を有する移動部と、前記移動部が搬送方向下流側に移動するにしたがって、前記移動部が前記カード媒体に近づくように案内するガイド部と、を有するスロープローディング機構と、前記突出部に対して、前記搬送路の幅方向における前記搬送機構の反対側に配置されて、前記コンタクト部の反対側から前記カード媒体を支持する支持部と、を備える。
【０００８】
このような構成によれば、カード媒体に反りが生じている場合においても、支持部によってカードの反りが矯正されることによって、ＩＣチップとコンタクト部との接触を良好にすることができる。
【０００９】
上記カード処理装置において、前記支持部は、前記カード媒体の主面に直交する方向から見て、前記ＩＣチップと接触状態にある前記コンタクト部と同じ位置に配置されてよい。
【００１０】
このような構成によれば、支持部による押圧力を、ＩＣチップとコンタクト部に集中させることができる。
【００１１】
上記カード処理装置において、前記支持部は、前記幅方向に延びる中心軸回りに回転する円柱状のローラであってよい。
【００１２】
このような構成によれば、ローラの周面が回転しながらカード媒体と接触することによって、カード媒体に傷が生じるのを防止することができる。
【００１３】
上記カード処理装置において、前記ローラは、前記突出部の前記幅方向一方側に配置された第一ローラ（３１）と、前記突出部の前記幅方向他方側に配置された第二ローラ（３２）と、を有してよい。
【００１４】
このような構成によれば、第一ローラ又は第二ローラと突出部とが接触するのを回避しながら、より大きな押圧力をＩＣチップとコンタクト部にかけることができる。
【００１５】
上記カード処理装置において、前記搬送機構は、モータ（Ｍ）と、前記モータの動力が伝達される回転軸（１３）と、前記回転軸に伴い前記搬送方向に走行する搬送ベルト（Ｂ２）と、を有し、前記ローラは前記回転軸に取り付けられてよい。
【００１６】
このような構成によれば、回転軸に伝達される動力によってローラが回転することによって、ローラに動力が伝達されない場合と比較して、ローラによる抵抗を低減することができる。これにより、モータに要求される動力を低減することができる。
【００１７】
上記カード処理装置において、前記スロープローディング機構は、前記筐体に固定され、搬送方向下流側に向かうにしたがって、挿入された前記カード媒体に近づくように傾斜する傾斜面（２８）と、前記押圧部から前記幅方向の両方に突出し、前記傾斜面を走行するスロープ軸（２３）と、を有してよい。
【００１８】
このような構成によれば、スロープ軸が斜面に沿って走行することによって、ＩＣチップに対する押圧力を徐々にかけることができる。
【発明の効果】
【００１９】
本発明によれば、カード媒体に反りが生じている場合においても、支持部によってカードの反りが矯正されることによって、ＩＣチップとコンタクト部との接触を良好にすることができる。
【図面の簡単な説明】
【００２０】
【図１】一実施形態に係る料金収受機の全体構成を示す図である。
【図２】一実施形態に係るカード処理装置の構造を示す図である。
【図３】一実施形態に係るスロープローディング機構の側面図であり、移動部が待機位置に位置しているスロープローディング機構の図である。
【図４】図３のＩＶ矢視図であり、スロープローディング機構をＩＣコンタクト側から見た図である。
【図５】一実施形態に係るスロープローディング機構の側面図であり、移動部が移動位置に位置しているスロープローディング機構の図である。
【図６】図５のＶＩ矢視図であり、スロープローディング機構を搬送方向上流側から見た図である。
【発明を実施するための形態】
【００２１】
以下、一実施形態に係るカード処理装置について、図１〜図６を参照しながら説明する。
（料金収受機の全体構成）
図１は、一実施形態に係る料金収受機の全体構成を示す図である。
本実施形態に係る料金収受機は、有料道路（高速道路）の料金所に設置されている。具体的には、図１に示すように、料金収受機１Ａは、料金所における車線Ｌの路側（アイランド）に設置される。車線Ｌを走行する車両の運転者（有料道路の利用者）は、この料金収受機１Ａとの間で料金収受処理を行う。
【００２２】
図１に示すように、料金収受機１Ａは、ＩＣカード（クレジットカード等、カード媒体）による支払いを可能とするため、カード処理装置１を内蔵している。カード処理装置１は、料金収受処理に際し、利用者が有するＩＣカードに記録されたカード情報の読み出し及び書き込みを行う、いわゆるリーダライタ装置である。料金収受機１Ａは、カード処理装置１を通じて読み出されたＩＣカードに対し、利用日時、走行履歴、収受金額等を含む利用明細情報を記録する。
【００２３】
なお、料金収受機１Ａは、有料道路の本線上に設けられた通常の料金所だけでなく、例えば、サービスエリア、パーキングエリア、バスストップから乗り降りができるように設けられた料金所（いわゆるスマートインターチェンジ）に設置されていてもよい。
また、他の実施形態においては、料金収受機１Ａは利用者が直接操作するタイプの料金収受機（料金自動収受機）ではなく、有人ブースに待機する収受員によって操作されるタイプの料金収受機であってもよい。
【００２４】
（カード処理装置の構造）
図２は、一実施形態に係るカード処理装置１の構造を示す図である。
図２に示すように、カード処理装置１は、筐体２と、筐体２に設けられ、ＩＣチップＴ２を有するＩＣカードＴが挿入される挿入口３と、ＩＣカードＴを搬送方向（±Ｘ方向）に搬送する搬送路Ｗをなすレール９と、ＩＣカードＴを搬送する搬送機構４と、ＩＣカードＴに付されている磁気ストライプＴ１から磁気データを読み取るため磁気ヘッド５と、ＩＣコンタクト２５（コンタクト部）を有し、ＩＣカードＴの挿入に伴いＩＣコンタクト２５をＩＣチップＴ２に接触させるスロープローディング機構６と、ＩＣコンタクト２５の反対側からＩＣカードＴを支持するＩＣコンタクト支持ローラ８（支持部）と、制御部７と、を備えている。
【００２５】
制御部７は、カード処理装置１全体の動作を司るプロセッサであり、例えば、予め読み込まれたプログラムに従って動作することで後述する種々の機能を発揮する。
搬送機構４は、挿入口３から挿入されたＩＣカードＴを筐体２の内部に引き込んで、各種処理を可能にする適切な位置に搬送する駆動機構である。搬送機構４は、各種処理を完了したカードを挿入口３まで戻す搬送も行う。
【００２６】
磁気ヘッド５は、ＩＣカードＴに付されている磁気ストライプＴ１から磁気データを読み取るための機構である。磁気ヘッド５は、ＩＣカードＴが搬送機構４によって搬送されている間に、磁気ストライプＴ１から磁気データを読み取る。
ＩＣコンタクト２５は、ＩＣカードＴに搭載されているＩＣチップＴ２と電気的接点をとるデバイスである。ＩＣカードＴが搬送機構４によって適切な位置に搬送されることでＩＣコンタクト２５の位置とＩＣチップＴ２の位置とが整合し、電気的接点が形成される。
なお、ＩＣカードＴは、カード処理装置１の搬送機構４が搬送可能な規格サイズ（例えば、縦５４ｍｍ、横８５ｍｍ、厚さ０．７６ｍｍ）程度に形成されたカードである。また、ＩＣカードＴには、磁気ストライプＴ１が具備されていなくてもよい。
【００２７】
レール９は、ＩＣカードＴの短手方向（±Ｙ方向）の両端を支持する。短手方向は、搬送路Ｗの幅方向に一致する。レール９は、筐体２の側壁２ｂに搬送方向に沿って設けられている。図６に示すように、レール９は、カードの短手方向の端部をガイドする。レール９は、ＩＣカードＴの一方の面をガイドする第一規制部１５と、ＩＣカードＴの他方の面をガイドする第二規制部１６とを有する一対の溝１４を有している。
なお、以下の説明において、レール９が形成するカードの搬送路Ｗのうち、挿入口３に近い側を「上流側」とも表記し、挿入口３から離れている側を「下流側」とも表記する。
【００２８】
搬送機構４は、ＩＣカードＴを料金収受機１Ａの内部側（図２の＋Ｘ方向）に引き込むように搬送動作を行う。搬送機構４は、筐体２内に設けられ、挿入口３から挿入されたＩＣカードＴを搬送路Ｗに沿って搬送する。
図２に示すように、搬送機構４は、ＤＣモータＭと、プーリＰと、３個の搬送ローラＲ１、Ｒ２、Ｒ３と、押さえローラＲｐと、平ベルトである２個の搬送ベルトＢ１、Ｂ２と、を有してなる。
第一搬送ローラＲ１は、筐体の幅方向（±Ｙ方向）、即ち、搬送路Ｗの幅方向に延在する第一回転軸１１に支持されている。第二搬送ローラＲ２は、幅方向に延在する第二回転軸１２に支持されている。第三搬送ローラＲ３は、幅方向に延在する第三回転軸１３に支持されている。第一回転軸１１、第二回転軸１２、及び第三回転軸１３は、筐体２に回転自在に支持されている。
【００２９】
ＤＣモータＭは、制御部７からの指令信号に基づいて回転動作する。ＤＣモータＭの動力は、プーリＰを通じて第三搬送ローラＲ３が固定された第三回転軸１３に伝達される。
３個の搬送ローラＲ１、Ｒ２、Ｒ３は、挿入口３からＩＣカードＴの搬送方向（±Ｘ方向）に沿って配置されている。各々の搬送ローラＲ１、Ｒ２、Ｒ３は、２個の搬送ベルトＢ１、Ｂ２によって連結されている。
【００３０】
第一搬送ベルトＢ１は、第一搬送ローラＲ１と第二搬送ローラＲ２とを連結するゴム製の平ベルトであり、第二搬送ベルトＢ２は、第二搬送ローラＲ２と第三搬送ローラＲ３とを連結するゴム製の平ベルトである。ＤＣモータＭによって第三搬送ローラＲ３が回転すると、その動力が第二搬送ベルトＢ２及び第一搬送ベルトＢ１を通じて搬送ローラＲ２、Ｒ１を回転させる。
挿入口３から挿入されたＩＣカードＴは、各々の搬送ローラＲ１、Ｒ２、Ｒ３を連結しながら回転移動する平ベルト（搬送ベルトＢ１、Ｂ２）の面との摩擦を通じて搬送される。この際、搬送ベルトＢ１、Ｂ２は、ＩＣカードＴの短手方向の一部を支持しながら搬送する。
【００３１】
図２の下段に示すように、第一搬送ローラＲ１、第二搬送ローラＲ２、及び第三搬送ローラＲ３の上側（＋Ｚ方向側）には押さえローラＲｐが設けられている。押さえローラＲｐは、搬送ベルトＢ１、Ｂ２上を移動するＩＣカードＴを、搬送ローラＲ１、Ｒ２、Ｒ３との間で厚さ方向（±Ｚ方向）に挟み込みながら回転する。
【００３２】
搬送機構４は、ＩＣカードＴの搬送路Ｗ上の異なる地点に配置された４個の検知センサＳ１、Ｓ２、Ｓ３、Ｓ４を有している。
各々の検知センサＳ１〜Ｓ４は、各々の場所にＩＣカードＴが存在しているか否かを検知可能とする。例えば、検知センサＳ１〜Ｓ４は、高さ方向（±Ｚ方向）に並べられた投光素子と受光素子との対からなり、この投光素子と受光素子との間にＩＣカードＴが存在する場合、投光素子から投光される検知光が受光素子に到達しなくなる。したがって、その検知センサ（Ｓ１〜Ｓ４）が配されている地点にＩＣカードＴが存在することを把握できる。なお、検知センサＳ１〜Ｓ４の具体的な態様は上記に限定されない。
【００３３】
第一検知センサＳ１は、搬送路Ｗのうち最も上流側（−Ｘ方向側）に配置される。第一検知センサＳ１は、挿入口３にＩＣカードＴが挿入されたか否かを検知するためのセンサである。制御部７は、利用者によって挿入口３にＩＣカードＴが差し込まれ、第一検知センサＳ１がＩＣカードＴの存在を検知したことを契機としてＤＣモータＭを回転駆動させる。ＤＣモータＭが回転駆動すると、第一搬送ベルトＢ１との摩擦によってＩＣカードＴが内部（＋Ｘ方向）に引き込まれる。
【００３４】
第二検知センサＳ２は、第一検知センサＳ１の下流側に配置される。第三検知センサＳ３は、第二検知センサＳ２の更に下流側に配置される。第二検知センサＳ２及び第三検知センサＳ３は、主に、搬送機構４の搬送動作に異常がないか否かを検知するために設けられている。
例えば、搬送機構４によるＩＣカードＴの搬送中に“カード詰まり”などが発生することが想定される。このような不具合を想定して、制御部７は、第二検知センサＳ２でＩＣカードＴが検知されてから一定時間内に第三検知センサＳ３でＩＣカードＴが検知されなかった場合、“カード詰まり”が発生したものみなし、係員等に向けて異常の通報を行う。
【００３５】
第四検知センサＳ４は、最も下流側（＋Ｘ方向側）に配置される。第四検知センサＳ４は、第三検知センサＳ３の検知信号との組み合わせで、ＩＣカードＴが目的の位置（即ち、ＩＣコンタクト２５とＩＣチップＴ２との間で電気的接点を得ることができる位置）に到達したか否かを判断するために設けられている。具体的には、制御部７は、第三検知センサＳ３、第四検知センサＳ４の両方が「オン」の状態（ＩＣカードＴを検知している状態）から、第三検知センサＳ３のみが「オフ」の状態（ＩＣカードＴを検知していない状態）に遷移した場合に、ＩＣカードＴが目的の位置に到達したものと判断する。
【００３６】
（スロープローディング機構の構造）
図３は、一実施形態に係るスロープローディング機構６の側面図であり、移動部１９が待機位置に位置しているスロープローディング機構６の図である。図４は、スロープローディング機構６をＩＣコンタクト２５側から見た図である。
スロープローディング機構６は、筐体２に上壁２ａの下面に固定されたベース部１８と、ベース部１８の下面に搬送方向に移動可能に配置され、ＩＣコンタクト２５を有する移動部１９と、を有している。
【００３７】
ＩＣカードＴが挿入されていない待機状態において、移動部１９は、図３に示す待機位置に位置する。待機位置において、移動部１９に設けられているＩＣコンタクト２５は、ＩＣカードＴが通過する搬送路Ｗから離れている。
ＩＣカードＴが目的の位置に到達した状態において、移動部１９は、図５に示す移動位置に位置する。移動位置において、移動部１９に設けられているＩＣコンタクト２５は、ＩＣカードＴのＩＣチップＴ２に接触する。
【００３８】
ベース部１８は、筐体２の上壁２ａの下面に固定されたベース部本体２０と、ベース部本体２０の幅方向の両端に、搬送方向に延在するように設けられた一対のガイド部２１と、を有している。ガイド部２１は、下方（−Ｚ方向）に突出するように形成されている。ガイド部２１には、後述するスロープ軸２３が走行する傾斜面２８が形成されている。
【００３９】
移動部１９は、一対のガイド部２１間に配置された押圧部２２と、押圧部２２から幅方向の両側に突出する４つのスロープ軸２３と、押圧部２２と接続され、レール９によって形成される搬送路Ｗと交差するように突出する突出部２４と、を有している。
押圧部２２は、矩形板状をなしている。押圧部２２の下面には、ＩＣコンタクト２５が設けられている。
スロープ軸２３は、押圧部２２の各々の側面２２ａに２つ形成されている。
突出部２４は、押圧部２２の下流側の端部から、下方（−Ｚ方向）に突出している。
移動部１９は、筐体２に固定されたコイル支持部２７に、引っ張りコイルバネ２６を介して接続されている。移動部１９は、引っ張りコイルバネ２６によって上流側に引っ張られている。
【００４０】
ベース部１８のガイド部２１は、移動部１９が下流側に移動するにしたがって、移動部１９がＩＣカードＴに近づくように案内する。ガイド部２１は、スロープ軸２３が走行する傾斜面２８と、ガイド突起２９と、スロープ軸２３の下流側への移動を規制する規制部３０と、を有している。傾斜面２８、ガイド突起２９、及び規制部３０は、各々のスロープ軸２３に対して形成されている。
傾斜面２８は、下流側に向かうにしたがって搬送路Ｗ（挿入されたカード）に近づくように傾斜している。
ガイド突起２９は、移動部１９が待機位置に位置する際に、スロープ軸２３を保持するとともに、移動部１９が下流側に移動する際にスロープ軸２３が傾斜面２８から離れるのを防止する。
突出部２４は、挿入されたカード（搬送路Ｗ）と干渉するように形成されている。即ち、挿入口３から挿入されて、レール９に沿って走行するカードは、突出部２４に接触して、これにより、移動部１９が待機位置から下流側に移動する。
【００４１】
規制部３０は、ＩＣカードＴの移動に伴い移動する移動部１９が適切な位置である移動位置で停止するように形成されている。即ち、移動部１９が下流側に向かって移動し、スロープ軸２３が規制部３０によって下流側への移動が規制されると、ＩＣカードＴが適切な位置に配置される。
また、傾斜面２８は、移動部１９の待機位置において、ＩＣコンタクト２５とＩＣカードＴとの間に所定の隙間が生じ、移動部１９の移動位置において、ＩＣコンタクト２５とＩＣカードＴが接触するように形成されている。
また、ＩＣコンタクト２５は、移動部１９が移動位置に位置しているときに、ＩＣコンタクト２５の位置とＩＣチップＴ２の位置とが整合し、電気的接点が形成されるように配置されている。
【００４２】
スロープローディング機構６によれば、挿入されたＩＣカードＴが突出部２４を搬送方向下流側に移動させることによって、押圧部２２のスロープ軸２３が傾斜面２８に沿って走行し、突出部２４に接続された押圧部２２がＩＣカードＴに向かって下降する。スロープ軸２３が規制部３０に突き当たって、移動部１９が移動位置に配置されると、ＩＣカードＴが適切な位置に配置されて、押圧部２２に配置されたＩＣコンタクト２５がＩＣカードＴのＩＣチップＴ２に接触する。
【００４３】
図６に示すように、ＩＣコンタクト支持ローラ８は、第三回転軸１３に固定されている。ＩＣコンタクト支持ローラ８は、第三回転軸１３とともに回転自在である。図２及び図６に示すように、ＩＣコンタクト支持ローラ８は、ＩＣカードＴの主面に直交する方向（±Ｚ方向）から見て、移動位置のＩＣコンタクトと同じ位置に配置されている。
換言すれば、ＩＣコンタクト支持ローラ８は、移動部１９がＩＣカードＴの挿入に伴い下降して、ＩＣコンタクト２５がＩＣチップＴ２に接触した際に、ＩＣチップＴ２の下方からＩＣカードＴを支持するような位置に配置されている。
【００４４】
ＩＣコンタクト支持ローラ８は、突出部２４の幅方向一方側（−Ｙ方向側、第三搬送ローラＲ３とは反対側）に配置された第一ローラ３１と、突出部２４の幅方向他方側（＋Ｙ方向側）に配置された第二ローラ３２とを有している。
第一ローラ３１及び第二ローラ３２は、円柱状のローラである。
第一ローラ３１と第二ローラ３２との間には、搬送方向に移動する突出部２４の通過を許容する間隙Ｇが設けられている。即ち、ＩＣコンタクト支持ローラ８は、突出部２４との干渉を回避しながら、突出部２４に接続された押圧部２２のＩＣコンタクト２５を支持可能な形状を有している。
第一ローラ３１は、突出部２４に対して、幅方向における搬送機構４（第二搬送ベルトＢ２及び押さえローラＲｐ）の反対側に配置されている。
【００４５】
（作用、効果）
上記実施形態によれば、ＩＣカードＴに反りが生じている場合においても、ＩＣコンタクト支持ローラ８によってＩＣカードＴの反りが矯正されることによって、ＩＣチップＴ２とＩＣコンタクト２５との接触を良好にすることができる。
また、ＩＣコンタクト支持ローラ８がＩＣチップＴ２と接触状態にあるＩＣコンタクト２５と同じ位置に配置されていることによって、ＩＣコンタクト支持ローラ８による押圧力を、ＩＣチップＴ２とＩＣコンタクト２５に集中させることができる。
【００４６】
また、ＩＣコンタクト支持ローラ８の第一ローラ３１及び第二ローラ３２が円柱状のローラであることによって、ローラの周面が回転しながらＩＣカードＴと接触する。これにより、ＩＣカードＴに傷が生じるのを防止することができる。
【００４７】
また、ＩＣコンタクト支持ローラ８が、第一ローラ３１と第二ローラ３２間に間隙Ｇが設けられていることから、第一ローラ３１又は第二ローラ３２と突出部２４とが接触するのを回避しながら、より大きな押圧力をＩＣチップＴ２とＩＣコンタクト２５にかけることができる。
【００４８】
また、ＩＣコンタクト支持ローラ８が第三回転軸１３に取り付けられていることによって、第三回転軸１３に伝達される動力によってＩＣコンタクト支持ローラ８を回転させることができる。これにより、ＩＣコンタクト支持ローラ８に動力が伝達されない場合と比較して、ＩＣコンタクト支持ローラ８による抵抗を低減することができる。これにより、ＤＣモータＭに要求される動力を低減することができる。
また、スロープ軸２３が傾斜面２８に沿って走行することによって、ＩＣチップＴ２に対する押圧力を徐々にかけることができる。
【００４９】
以上のとおり、本発明に係るいくつかの実施形態を説明したが、これら全ての実施形態は、例として提示したものであり、発明の範囲を限定することを意図していない。これらの実施形態は、その他の様々な形態で実施されることが可能であり、発明の要旨を逸脱しない範囲で種々の省略、置き換え、変更を行うことができる。これらの実施形態及びその変形は、発明の範囲や要旨に含まれると同様に、特許請求の範囲に記載された発明とその均等の範囲に含まれる。
【００５０】
上記実施形態では、ＩＣコンタクト支持ローラ８は、第一ローラ３１と第二ローラ３２と、を有しているが、突出部２４に対して、幅方向における搬送機構４（第二搬送ベルトＢ２及び押さえローラＲｐ）の反対側に配置されている第一ローラ３１のみとしてもよい。即ち、ＩＣカードＴに反りが生じている場合に、ＩＣチップＴ２の幅方向の一方側（搬送機構４）と、幅方向の他方側（第一ローラ３１）とで支持できる構成とすればよい。
【００５１】
また、ＩＣコンタクト支持ローラ８は、第三回転軸１３に固定されている必要はなく、幅方向（±Ｙ方向）に延びる軸Ａ（図２、図６参照）回りに回転するローラであればよい。
【符号の説明】
【００５２】
１Ａ  料金収受機
１  カード処理装置
２  筐体
２ａ  上壁
２ｂ  側壁
３  挿入口
４  搬送機構
５  磁気ヘッド
６  スロープローディング機構
７  制御部
８  ＩＣコンタクト支持ローラ（支持部）
９  レール
１１  第一回転軸
１２  第二回転軸
１３  第三回転軸
１４  溝
１５  第一規制部
１６  第二規制部
１８  ベース部
１９  移動部
２０  ベース部本体
２１  ガイド部
２２  押圧部
２３  スロープ軸
２４  突出部
２５  ＩＣコンタクト（コンタクト部）
２６  引っ張りコイルバネ
２７  コイル支持部
２８  傾斜面
２９  ガイド突起
３０  規制部
３１  第一ローラ
３２  第二ローラ
Ａ  軸
Ｂ１  第一搬送ベルト
Ｂ２  第二搬送ベルト
Ｇ  間隙
Ｍ  ＤＣモータ
Ｐ  プーリ
Ｒ１  第一搬送ローラ
Ｒ２  第二搬送ローラ
Ｒ３  第三搬送ローラ
Ｒｐ  押さえローラ
Ｓ１  第一検知センサ
Ｓ２  第二検知センサ
Ｓ３  第三検知センサ
Ｓ４  第四検知センサ
Ｔ  ＩＣカード（カード媒体）
Ｔ１  磁気ストライプ
Ｔ２  ＩＣチップ
Ｗ  搬送路
【図１】
2020112854.tif 000003
【図２】
2020112854.tif 000004
【図３】
2020112854.tif 000005
【図４】
2020112854.tif 000006
【図５】
2020112854.tif 000007
【図６】
2020112854.tif 000008